(57)【要約】【課題】カタログの請求を手間をかけずに、かつ正確に行う。【解決手段】ネットワーク６０に接続可能な携帯端末４０から送信されてくる情報に基づいてカタログの請求を受け付けるカタログ受注サーバ７０と、カタログ受注サーバ７０にて受け付けられたカタログを印刷するカタログ印刷部８０とを有し、カタログ印刷部８０にて印刷されたカタログが携帯端末４０にて指定される発送先に発送されるカタログ発送システムにおいて、カタログ受注サーバ７０にアクセスするためのアクセス情報とカタログを指定するためのカタログコードとカタログの発送先に関する情報とが含まれる情報が二次元コード３１で表現されて印刷されたダイレクトメール３０を用い、このダイレクトメール３０に印刷された二次元コード３１を携帯端末４０にて読み取り、カタログ受注サーバ７０に送信する。【選択図】　図１
2004078574.tif 000002
【特許請求の範囲】
【請求項１】
ネットワークに接続可能な端末と、該端末からネットワークを介して送信されてくる情報に基づいてカタログの請求を受け付けるカタログ受注手段と、前記カタログ受注手段にて受け付けられたカタログを印刷する印刷手段とを有し、前記印刷手段にて印刷されたカタログが、前記端末からネットワークを介して送信されてくる情報に基づく発送先に発送されるカタログ発送システムにおいて、
前記カタログに関する情報が掲載されるとともに、前記カタログ受注手段にアクセスするためのアクセス情報と前記カタログを指定するためのカタログコードと前記カタログの発送先に関する情報とが含まれる情報が二次元コードで表現されて印刷された送付体を有し、
前記端末は、前記送付体に印刷された二次元コードを読み取るための読取手段を有し、該読取手段にて読み取られた二次元コードによる情報を該情報に含まれる前記アクセス情報に従って前記カタログ受注手段に送信し、
前記印刷手段は、前記端末から送信され前記カタログ受注手段にて受信された前記カタログコードによって指定されるカタログを印刷することを特徴とするカタログ発送システム。
【請求項２】
請求項１に記載のカタログ発送システムにおいて、
前記印刷手段は、前記カタログ受注手段にて受信された前記カタログの発送先に関する情報を、前記カタログが封入される封筒もしくは該封筒に封入される送付台紙に印刷することを特徴とするカタログ発送システム。
【請求項３】
ネットワークに接続可能な端末と、該端末からネットワークを介して送信されてくる情報に基づいてカタログの請求を受け付けるカタログ受注手段と、前記カタログ受注手段にて受け付けられたカタログを印刷する印刷手段とを有し、前記印刷手段にて印刷されたカタログが、前記端末からネットワークを介して送信されてくる情報に基づく発送先に発送されるカタログ発送システムに用いられる送付体であって、
前記カタログに関する情報が掲載されるとともに、前記カタログ受注手段にアクセスするためのアクセス情報と前記カタログを指定するためのカタログコードと前記カタログの発送先に関する情報とが含まれる情報が二次元コードで表現されて印刷されていることを特徴とする送付体。
【発明の詳細な説明】
【０００１】
【発明の属する技術分野】
本発明は、商品等のカタログの請求を受け付け、発送するカタログ発送システムに関し、特に、カタログの請求がネットワークを介して行われるカタログ発送システムに関する。
【０００２】
【従来の技術】
近年、インターネットの普及に伴い、商品等のカタログを、商品等を取り扱う店舗等に出向かずにインターネットを介して請求し、請求されたカタログを作成、発送するカタログ発送システムが多く利用されるようになっている。
【０００３】
このようなカタログ発送システムにおいては、カタログを請求する場合、まず、インターネットに接続可能な端末を用いて、カタログの請求を受け付けるサーバにアクセスする。
【０００４】
すると、カタログの請求を受け付けるサーバから、カタログを請求するための情報画面がインターネットを介して端末に提供され、その後、カタログを請求するユーザは、カタログの請求を受け付けるサーバから提供された情報画面上にて所望のカタログを指定するとともに、該情報画面にカタログの発送先名や発送先住所等の発送先に関する情報を入力する。
【０００５】
その後、カタログを発送する業者において、情報画面上にて指定されたカタログを作成し、作成されたカタログを封入、封緘し、情報画面上にて指定された発送先に郵送等の手段を用いて発送する。
【０００６】
上記のようなカタログ発送システムにおいては、インターネット等のネットワークを介してカタログを請求するため、カタログを請求するユーザは、カタログの請求を受け付けるサーバにアクセスするためのアクセス情報となるＵＲＬあるいはメールアドレスを認識している必要がある。
【０００７】
そこで、カタログを発送する業者においては、カタログの請求を受け付けるサーバのＵＲＬあるいはメールアドレスをユーザに認識させる１つの手段として、カタログの請求を受け付けるサーバのＵＲＬあるいはメールアドレスをダイレクトメールに掲載し、このダイレクトメールをユーザに発送することが行われている。
【０００８】
ダイレクトメールを受け取ったユーザは、ダイレクトメールに掲載されたＵＲＬあるいはメールアドレスを、ネットワークに接続可能な端末に入力し、それにより、カタログの請求を受け付けるサーバにアクセスし、さらに、発送先名や発送先住所等の発送先に関する情報を入力してカタログを請求することになる。
【０００９】
【発明が解決しようとする課題】
しかしながら、上述した従来のカタログ発送システムにおいては、ダイレクトメール等に掲載されたアクセス情報を端末に入力する必要があるため、ユーザにとってそのための手間がかかるとともに、誤ったアクセス情報を入力してしまう虞れがある。また、発送先名や発送先住所等の発送先に関する情報を入力する必要もあり、それにおいてもユーザの手間がかかるとともに、誤った発送先に関する情報を入力してしまう虞れがある。
【００１０】
本発明は、上述したような従来の技術が有する問題点に鑑みてなされたものであって、カタログの請求がネットワークを介して行われるカタログ発送システムにおいて、カタログの請求を手間をかけずに、かつ正確に行うことができるカタログ発送システムを提供することを目的とする。
【００１１】
【課題を解決するための手段】
上記目的を達成するために本発明は、
ネットワークに接続可能な端末と、該端末からネットワークを介して送信されてくる情報に基づいてカタログの請求を受け付けるカタログ受注手段と、前記カタログ受注手段にて受け付けられたカタログを印刷する印刷手段とを有し、前記印刷手段にて印刷されたカタログが、前記端末からネットワークを介して送信されてくる情報に基づく発送先に発送されるカタログ発送システムにおいて、
前記カタログに関する情報が掲載されるとともに、前記カタログ受注手段にアクセスするためのアクセス情報と前記カタログを指定するためのカタログコードと前記カタログの発送先に関する情報とが含まれる情報が二次元コードで表現されて印刷された送付体を有し、
前記端末は、前記送付体に印刷された二次元コードを読み取るための読取手段を有し、該読取手段にて読み取られた二次元コードによる情報を該情報に含まれる前記アクセス情報に従って前記カタログ受注手段に送信し、
前記印刷手段は、前記端末から送信され前記カタログ受注手段にて受信された前記カタログコードによって指定されるカタログを印刷することを特徴とする。
【００１２】
また、前記印刷手段は、前記カタログ受注手段にて受信された前記カタログの発送先に関する情報を、前記カタログが封入される封筒もしくは該封筒に封入される送付台紙に印刷することを特徴とする。
【００１３】
また、ネットワークに接続可能な端末と、該端末からネットワークを介して送信されてくる情報に基づいてカタログの請求を受け付けるカタログ受注手段と、前記カタログ受注手段にて受け付けられたカタログを印刷する印刷手段とを有し、前記印刷手段にて印刷されたカタログが、前記端末からネットワークを介して送信されてくる情報に基づく発送先に発送されるカタログ発送システムに用いられる送付体であって、
前記カタログに関する情報が掲載されるとともに、前記カタログ受注手段にアクセスするためのアクセス情報と前記カタログを指定するためのカタログコードと前記カタログの発送先に関する情報とが含まれる情報が二次元コードで表現されて印刷されていることを特徴とする。
【００１４】
（作用）
上記のように構成された本発明においては、カタログに関する情報が掲載されるとともに、カタログの請求を受け付けるカタログ受注手段にアクセスするためのアクセス情報とカタログを指定するためのカタログコードとカタログの発送先に関する情報とが含まれる情報が二次元コードで表現されて印刷された送付体が作成され、この送付体が顧客毎に送付される。送付体を受け取った顧客は、送付体に掲載されたカタログを請求する場合、送付体に印刷された二次元コードを、ネットワークに接続可能な端末にて読み取ると、二次元コードによる情報に含まれるアクセス情報によってカタログ受注手段にアクセスが行われるとともに、二次元コードによる情報がカタログ受注手段にネットワークを介して送信される。カタログ受注手段においては、端末から送信されてきた情報が受信されることによりカタログの請求が受け付けられ、その後、印刷手段において、カタログ受注手段にて受信されたカタログコードによって指定されるカタログが印刷される。
【００１５】
このように、送付体に印刷された二次元コードを読み取るだけで、カタログが指定されるとともにその情報がカタログ受注手段に通知されるので、カタログの請求が手間をかけずに、かつ正確に行われることになる。
【００１６】
また、カタログ受注手段にて受信されたカタログの発送先に関する情報を、印刷手段においてカタログが封入される封筒もしくは該封筒に封入される送付台紙に印刷すれば、ダイレクトメールに印刷された二次元コードを読み取るだけで、カタログの発送先が指定され、その情報が封筒もしくは該封筒に封入される送付台紙に印刷されることになる。
【００１７】
【発明の実施の形態】
以下に、本発明の実施の形態について図面を参照して説明する。
【００１８】
図１は、本発明のカタログ発送システムの実施の一形態を示す図である。
【００１９】
本形態は図１に示すように、カタログを請求するための情報が二次元コード３１によって表現されて印刷されたダイレクトメール３０を作成するＤＭ印刷部１０と、ダイレクトメール３０に印刷された二次元コード３１を読み取る読取部４１を有し、基地局装置５０を介してネットワーク６０と接続可能な携帯電話機等の携帯端末４０と、携帯端末４０にて読み取られた二次元コード３１による情報をネットワーク６０を介して受信することによりカタログの請求を受け付けるカタログ受注サーバ７０と、カタログ受注サーバ７０にてカタログの請求が受け付けられた場合に、カタログ受注サーバ７０にて受信された情報に従ってカタログを作成するカタログ印刷部８０とから構成されている。
【００２０】
また、ＤＭ印刷部１０は、カタログを請求するための情報が二次元コード３１によって表現されたダイレクトメール３０を印刷する印刷部１２と、メールアドレスデータベース２１に登録されたカタログ受注サーバ７０のアクセス情報となるメールアドレスと顧客情報データベース２２に登録されたカタログの発送先名や発送先住所等の発送先に関する情報とカタログ情報データベース２３にカタログに関する情報と対応づけて登録されたカタログコードとを含む情報が二次元コード３１によって表現されるように印刷部１２における印刷を制御する印刷制御部１１とから構成されている。
【００２１】
また、カタログ印刷部８０は、カタログ受注サーバ７０にて請求が受け付けられたカタログを印刷するとともにこのカタログが封入される封筒にカタログの発送先に関する情報を印刷する印刷部８２と、カタログ受注サーバ７０にて受信された情報とカタログ情報データベース２３に登録された情報とに基づいて印刷部８２における印刷を制御する印刷制御部８１とから構成されている。
【００２２】
以下に、上記のように構成されたカタログ発送システムにおいてカタログを請求するための情報が掲載されたダイレクトメールの印刷からカタログの発送までの処理について説明する。
【００２３】
図２は、図１に示したカタログ発送システムにおける処理を説明するためのフローチャートである。
【００２４】
まず、ＤＭ印刷部１０において、カタログを請求するための情報が二次元コード３１によって表現されて印刷されたダイレクトメール３０が作成される（ステップＳ１）。印刷制御部１１においては、メールアドレスデータベース２１に登録されたカタログ受注サーバ７０のメールアドレスと、顧客情報データベース２２に登録されたカタログの発送先名や発送先住所等の発送先に関する情報と、カタログ情報データベース２３に登録されたカタログのコードとが二次元コード３１によって表現されるように印刷部１２における印刷が制御され、この制御によって印刷部１２においてダイレクトメール３０が印刷される。
【００２５】
図３は、図１に示したＤＭ印刷部１０にて作成されるダイレクトメールの一例を示す図である。
【００２６】
図３に示すように、ＤＭ印刷部１０にて作成されるダイレクトメール３０には、顧客情報データベース２２に登録されたカタログの発送先に関する情報を用いて宛先情報１が印刷されているとともに、カタログ情報データベース２３に登録されたカタログに関する情報の一部がカタログ情報２ａ〜２ｃとして印刷されている。なお、カタログ情報データベース２３に登録されたカタログデータのうち、どのカタログデータの一部をカタログ情報としてダイレクトメール３０に印刷するかについては、顧客情報データベース２２に登録されたカタログの発送先毎に予め決められている。
【００２７】
また、カタログ情報データベース２３においては、予め登録されたカタログに関する情報のそれぞれに、該情報を指定するためのカタログコードが対応づけられて登録されており、カタログ情報２ａ〜２ｃのそれぞれに対応して、そのカタログコードとカタログ受注サーバ７０のメールアドレスとカタログの発送先に関する情報とが含まれた情報が二次元コード３１ａ〜３１ｃによって表現されて印刷されている。
【００２８】
ＤＭ印刷部１０にて作成されたダイレクトメール３０は郵送等の手段によって発送され（ステップＳ２）、宛先情報１によって指定されるユーザが受け取ることになる（ステップＳ３）。
【００２９】
ダイレクトメール３０を受け取ったユーザが、ダイレクトメール３０に印刷されたカタログを請求するために、そのカタログに対応する二次元コード３１に携帯端末４０の読取部４１をかざし、それにより、携帯端末４０にて二次元コード３１が読み取られると（ステップＳ４）、読み取られた二次元コード３１による情報はネットワーク６０を介してカタログ受注サーバ７０に送信される（ステップＳ５）。ここで、ダイレクトメール３０に印刷された二次元コード３１には、カタログ受注サーバ７０のメールアドレスが含まれているため、携帯端末４０にて二次元コード３１が読み取られることにより、この二次元コード３１による情報は電子メールによってカタログ受注サーバ７０に送信されることになる。
【００３０】
携帯端末４０から送信された二次元コード３１による情報がカタログ受注サーバ７０にて受信されると（ステップＳ６）、カタログ受注サーバ７０において、受信された情報に基づいてカタログの請求が受け付けられる（ステップＳ７）。ここで、携帯端末４０から送信され、カタログ受注サーバ７０にて受信された二次元コード３１による情報には、発送するカタログを指定するためのカタログコードと、このカタログの発送先に関する情報が含まれているため、カタログ受注サーバ７０においては、携帯端末４０から送信され、カタログ受注サーバ７０にて受信された二次元コード３１による情報を受信することによって、カタログの請求を受け付けることができる。
【００３１】
カタログ受注サーバ７０にてカタログの請求が受け付けられると、カタログ印刷部８０において、カタログ受注サーバ７０にて受信された情報に含まれるカタログコードと、カタログ情報データベース２３に登録されたカタログデータとに基づいてカタログが印刷されるとともに、カタログ受注サーバ７０にて受信された情報に基づいて、カタログが封入される封筒にカタログの発送先に関する情報が印刷される（ステップＳ８）。ここで、カタログ情報データベース２３には、カタログコードに対応してカタログデータが登録されているため、印刷制御部８１においては、カタログ受注サーバ７０にて受信された情報に含まれているカタログコードに対応するカタログデータがカタログ情報データベース２３から抽出され、抽出されたカタログデータが印刷されるように印刷部８２が制御され、それにより、携帯端末４０にて読み取られた二次元コード３１に対応するカタログが印刷されることになる。また、カタログ受注サーバ７０にて受信された二次元コード３１による情報には、カタログの発送先名や発送先住所等の発送先に関する情報が含まれているため、印刷制御部８１において、この発送先に関する情報が封筒に印刷されるように印刷部８２が制御され、それにより、カタログが封入される封筒に、このカタログの発送先に関する情報が印刷されることになる。
【００３２】
その後、カタログ印刷部８０にて印刷されたカタログは、カタログ印刷部８０にてカタログの発送先に関する情報が印刷された封筒に封入、封緘され、カタログの発送先に郵送等の手段で発送される（ステップＳ９）。なお、カタログが封入される封筒として封筒として穴あき封筒が用いられ、カタログの発送先に関する情報が、カタログが封入される封筒に封入される送付台紙に印刷される場合は、カタログ印刷部８０において、カタログの送付先に関する情報が送付台紙に印刷されることになる。また、カタログの送付先に関する情報が、カタログが封入される封筒に貼付される送付ラベルに印刷されることも考えられる。
【００３３】
上述したように本形態においては、カタログを請求するための情報が二次元コード３１でダイレクトメール３０に印刷されており、この二次元コード３１には、請求するカタログを指定するためのカタログコードが含まれているため、二次元コード３１を読み取るだけで請求するカタログが指定され、また、二次元コード３１には、カタログの請求を受け付けるカタログ受注サーバ７０のメールアドレスが含まれているため、二次元コード３１を読み取るだけで、カタログの請求内容がカタログ受注サーバ７０に通知され、また、二次元コード３１には、カタログの発送先に関する情報が含まれているため、二次元コード３１を読み取るだけで、カタログの発送先がカタログ受注サーバ７０に通知されることになる。
【００３４】
なお、本形態においては、カタログの請求をネットワーク６０を介して電子メールにて行う場合を例に挙げて説明したが、カタログの請求を受け付けるための情報画面をカタログ受注サーバ７０から携帯端末４０に提供し、この情報画面を用いてカタログの請求を行うことも考えられる。なお、その場合は、ＤＭ印刷部１０の印刷制御部１１においては、その情報画面を指定するためのＵＲＬ等のアクセス情報が二次元コード３１に含まれるように印刷部１２における印刷を制御することになる。
【００３５】
【発明の効果】
以上説明したように本発明においては、ネットワークに接続可能な端末と、該端末からネットワークを介して送信されてくる情報に基づいてカタログの請求を受け付けるカタログ受注手段と、カタログ受注手段にて受け付けられたカタログを印刷する印刷手段とを有し、印刷手段にて印刷されたカタログが、端末からネットワークを介して送信されてくる情報に基づく発送先に発送されるカタログ発送システムにおいて、カタログに関する情報が掲載されるとともに、カタログ受注手段にアクセスするためのアクセス情報とカタログを指定するためのカタログコードとカタログの発送先に関する情報とが含まれる情報が二次元コードで表現されて印刷された送付体を用い、さらに、端末が、送付体に印刷された二次元コードを読み取るための読取手段を有し、該読取手段にて読み取られた二次元コードによる情報を該情報に含まれるアクセス情報に従ってカタログ受注手段に送信し、印刷手段が、端末から送信されカタログ受注手段にて受信されたカタログコードによって指定されるカタログを印刷する構成としたため、送付体に印刷された二次元コードを読み取るだけで、カタログが指定されるとともにその情報がカタログ受注手段に通知されることになり、カタログの請求を手間をかけずに、かつ正確に行うことができる。
【００３６】
また、カタログ受注手段にて受信されたカタログの発送先に関する情報を、印刷手段においてカタログが封入される封筒もしくは該封筒に封入される送付台紙に印刷するように構成したものにおいては、ダイレクトメールに印刷された二次元コードを読み取るだけで、カタログの発送先が指定され、その情報を封筒もしくは該封筒に封入される送付台紙に印刷することができる。
【図面の簡単な説明】
【図１】本発明のカタログ発送システムの実施の一形態を示す図である。
【図２】図１に示したカタログ発送システムにおける処理を説明するためのフローチャートである。
【図３】図１に示したＤＭ印刷部にて作成されるダイレクトメールの一例を示す図である。
【符号の説明】
１　　宛先情報
２ａ〜２ｃ　　カタログ情報
１０　　ＤＭ印刷部
１１，８１　　印刷制御部
１２，８２　　印刷部
２１　　メールアドレスデータベース
２２　　顧客情報データベース
２３　　カタログ情報データベース
３０　　ダイレクトメール
３１，３１ａ〜３１ｃ　　二次元コード
４０　　携帯端末
４１　　読取部
５０　　基地局装置
６０　　ネットワーク
７０　　カタログ受注サーバ
８０　　カタログ印刷部
【図１】
2004078574.tif 000003
【図２】
2004078574.tif 000004
【図３】
2004078574.tif 000005